(57)【要約】【課題】本発明は、判定された種類の検知対象ガス以外に含まれる可能性のある検知対象ガスを使用者が認識することができるガス種識別機能付きガス検知器を提供することを目的とする。【解決手段】本発明のガス種識別機能付きガス検知器１は、検知対象ガスを検知する検知部と、検知対象ガスに関する情報が表示される表示部３と、検知部により検知される情報に基づいて、検知対象ガスの種類を識別し、検知対象ガスに関する情報を表示部３に表示させる制御部とを備え、表示部３が、検知対象ガスの種類に関する情報が表示される種類表示領域３１と、検知対象ガスの混合割合に関する情報が表示される混合割合表示領域３２とを備えることを特徴とする。【選択図】図１
2020165891.tif 000002
【特許請求の範囲】
【請求項１】
環境雰囲気に含まれる検知対象ガスを検知し、検知対象ガスの種類を識別するために用いられるガス種識別機能付きガス検知器であって、
前記ガス種識別機能付きガス検知器が、
検知対象ガスを検知する検知部と、
前記検知対象ガスに関する情報が表示される表示部と、
前記検知部により検知される情報に基づいて、前記検知対象ガスの種類を識別し、前記検知対象ガスに関する情報を前記表示部に表示させる制御部とを備え、
前記表示部が、
前記検知対象ガスの種類に関する情報が表示される種類表示領域と、
前記検知対象ガスの混合割合に関する情報が表示される混合割合表示領域とを備える、
ガス種識別機能付きガス検知器。
【請求項２】
前記検知対象ガスの種類に関する情報が、前記検知対象ガスの種類に応じて予め決められた所定の色で表示され、
前記検知対象ガスの混合割合に関する情報が、前記検知対象ガスの混合割合に応じて予め決められた所定の色で表示される、
請求項１に記載のガス種識別機能付きガス検知器。
【請求項３】
前記種類表示領域に表示される前記検知対象ガスの種類に関する情報が、
前記検知対象ガスのガス種名、および／または、
前記検知対象ガスの算出された濃度の変化を示すグラフとして表示される、
請求項１または２に記載のガス種識別機能付きガス検知器。
【請求項４】
前記制御部は、
前記検知対象ガスの種類を、前記検知対象ガスの混合割合を示す第１の検知結果と、前記検知対象ガスの量を示す第２の検知結果とに基づいて判定し、
前記検知対象ガスの混合割合を、前記第１の検知結果に基づき判定する、
請求項１〜３のいずれか１項に記載のガス種識別機能付きガス検知器。
【請求項５】
前記制御部は、前記検知対象ガスの種類の判定が不能である場合に、前記種類表示領域において、前記検知対象ガスの種類に関する情報を表示せず、判定が不能である旨の表示を表示させるように構成される、
請求項１〜４のいずれか１項に記載のガス種識別機能付きガス検知器。
【請求項６】
前記制御部は、前記検知対象ガスの種類の判定が不能である場合に、前記混合割合表示領域に前記検知対象ガスの混合割合に関する情報を表示させるように構成される、
請求項５に記載のガス種識別機能付きガス検知器。
【発明の詳細な説明】
【技術分野】
【０００１】
本発明は、ガス種識別機能付きガス検知器に関する。
【背景技術】
【０００２】
従来、環境雰囲気に含まれる都市ガス、自然発生メタンガス、ＬＰＧ、プロパンガスなどの検知対象ガスの種類を判定し、検知対象ガスの濃度を測定する検知器として、たとえば特許文献１に開示されるような接触燃焼式ガスセンサを用いたガス検知器が用いられている。このようなガス検知器の表示部には、検知対象ガスの種類の判定結果と、検知対象ガスの濃度の測定結果とが表示される。使用者は、この表示部に表示された判定結果を認識して、判定された検知対象ガスの種類に応じた対処を行なう。
【先行技術文献】
【特許文献】
【０００３】
【特許文献１】特開２０１７−１４２２７４号公報
【発明の概要】
【発明が解決しようとする課題】
【０００４】
検知対象ガスの種類の判定は、ガスセンサにより検知された検知結果と、検知対象ガスの種類に応じて予め決められた所定の閾値範囲とを比較して行なわれる。そのため、ガス検知器の表示部に表示される判定結果は、当該閾値範囲に基づき該当すると判定された検知対象ガスに限られる。ところが、環境雰囲気には複数種類の検知対象ガスが含まれている場合があり、そのような場合には、他に含まれている可能性のある検知対象ガスも考慮に入れた対処が必要になる。したがって、検知対象ガスの種類の判定結果に加えて、判定された種類の検知対象ガス以外に検知対象ガスが含まれているか否かを、使用者が表示部から認識できるようにする必要がある。
【０００５】
本発明は、上記問題に鑑みなされたもので、判定された種類の検知対象ガス以外に含まれる可能性のある検知対象ガスを使用者が認識することができるガス検知器を提供することを目的とする。
【課題を解決するための手段】
【０００６】
本発明のガス種識別機能付きガス検知器は、環境雰囲気に含まれる検知対象ガスを検知し、検知対象ガスの種類を識別するために用いられるガス種識別機能付きガス検知器であって、前記ガス種識別機能付きガス検知器が、検知対象ガスを検知する検知部と、前記検知対象ガスに関する情報が表示される表示部と、前記検知部により検知される情報に基づいて、前記検知対象ガスの種類を識別し、前記検知対象ガスに関する情報を前記表示部に表示させる制御部とを備え、前記表示部が、前記検知対象ガスの種類に関する情報が表示される種類表示領域と、前記検知対象ガスの混合割合に関する情報が表示される混合割合表示領域とを備えることを特徴とする。
【０００７】
また、前記検知対象ガスの種類に関する情報が、前記検知対象ガスの種類に応じて予め決められた所定の色で表示され、前記検知対象ガスの混合割合に関する情報が、前記検知対象ガスの混合割合に応じて予め決められた所定の色で表示されることが好ましい。
【０００８】
また、前記種類表示領域に表示される前記検知対象ガスの種類に関する情報が、前記検知対象ガスのガス種名、および／または、前記検知対象ガスの算出された濃度の変化を示すグラフとして表示されることが好ましい。
【０００９】
また、前記制御部は、前記検知対象ガスの種類を、前記検知対象ガスの混合割合を示す第１の検知結果と、前記検知対象ガスの量を示す第２の検知結果とに基づいて判定し、前記検知対象ガスの混合割合を、前記第１の検知結果に基づき判定することが好ましい。
【００１０】
また、前記制御部は、前記検知対象ガスの種類の判定が不能である場合に、前記種類表示領域において、前記検知対象ガスの種類に関する情報を表示せず、判定が不能である旨の表示を表示させるように構成されることが好ましい。
【００１１】
また、前記制御部は、前記検知対象ガスの種類の判定が不能である場合に、前記混合割合表示領域に前記検知対象ガスの混合割合に関する情報を表示させるように構成されることが好ましい。
【発明の効果】
【００１２】
本発明によれば、判定された種類の検知対象ガス以外に含まれる可能性のある検知対象ガスを使用者が認識することができるガス検知器を提供することができる。
【図面の簡単な説明】
【００１３】
【図１】本発明の一実施形態に係るガス種識別機能付きガス検知器の例示的な外観を示す外観概略図である。
【図２】本発明の一実施形態に係るガス種識別機能付きガス検知器の例示的な構成を示すブロック図である。
【図３】本発明の一実施形態に係るガス種識別機能付きガス検知器の検知部の例示的な構成を示す概略図である。
【図４】本発明の一実施形態に係るガス種識別機能付きガス検知器の検知部で出力される出力結果を概略的に示す図であり、（ａ）は、第１のガス検知素子のガス濃度に対する指示値の変化を示し、（ｂ）は、第２のガス検知素子のガス濃度に対する指示値の変化を示す。
【図５】本発明の一実施形態に係るガス種識別機能付きガス検知器の第１のガス検知素子の第１の出力結果を横軸とし、第２のガス検知素子の第２の出力結果を縦軸としたグラフ内において、検知対象ガスの種類に応じて予め決められた所定の閾値範囲を概略的に示す図である。
【図６】本発明の一実施形態に係るガス種識別機能付きガス検知器の表示部に表示される例示的な表示を示す図である。
【発明を実施するための形態】
【００１４】
以下、添付図面を参照して、本発明の一実施形態に係るガス種識別機能付きガス検知器（以下、「ガス検知器」という）を説明する。ただし、以下に示す実施形態は一例であり、本発明のガス検知器は、以下の例に限定されることはない。
【００１５】
本実施形態のガス検知器は、たとえば大気などの環境雰囲気に含まれる検知対象ガスを検知し、検知対象ガスの種類を識別するために用いられる。特に、本実施形態のガス検知器は、環境雰囲気に複数種類の検知対象ガスが含まれる場合において、環境雰囲気に含まれる検知対象ガスの種類を識別する用途に好適に用いられる。検知対象ガスは、環境雰囲気において検知対象となるガスであり、検知対象ガスとしては、特に限定されることはなく、以下で例示される都市ガス（１３Ａ）、メタンガス、ＬＰＧの他にも、水素、ブタン、一酸化炭素、酢酸、エタノール、ガソリンなどのガスが例示される。以下では、本実施形態のガス検知器を、検知対象ガスの種類を識別するだけでなく、検知対象ガスの濃度も測定可能なガス検知器を例に挙げて説明する。しかし、本発明のガス検知器は、少なくとも検知対象ガスの種類を識別することができればよく、以下の例に限定されることはない。
【００１６】
図１は、本実施形態のガス検知器１の例示的な外観を示す外観概略図であり、図２は、本実施形態のガス検知器１の例示的な構成を示すブロック図である。ガス検知器１は、たとえば、図１に示されるように、ガス検知器１内に環境雰囲気ガスを導くためのガス導管Ｌが取り付けられ、ガス導管Ｌによりガス検知器１内に導かれた環境雰囲気ガスに含まれる検知対象ガスを検知する。ガス検知器１は、図２に示されるように、検知部２、表示部３および制御部４を備えている。ガス検知器１はさらに、検知対象ガスに関する情報を記憶する記憶部５と、制御部４に対する指示を入力するための入力部６と、検知部２、表示部３、制御部４および記憶部５に電力を供給する電源部（図１に、ガス種「Ａ」に対応する閾値範囲Ｓだけが示されている）とを備えていてもよい。ガス検知器１は、本実施形態では、検知部２、表示部３、制御部４、記憶部５、入力部６および電源部が１つの装置に組み込まれて構成されているが、それぞれが独立した装置として構成されていてもよい。
【００１７】
検知部２は、環境雰囲気に含まれる検知対象ガスを検知する。検知部２は、検知対象ガスを検知して、検知対象ガスに関する出力結果を出力するように構成される。検知対象ガスに関する出力結果から、たとえば、検知対象ガスの混合割合を示す検知結果や、検知対象ガスの量を示す検知結果などの、検知対象ガスに関する検知結果が得られる。検知対象ガスに関する検知結果は、検知部２から出力される出力結果そのものであってもよいし、出力結果から算出される算出結果であってもよい。検知対象ガスに関する検知結果は、制御部４において算出されてもよいし、検知部２内で算出されて出力結果として出力されてもよい。検知部２は、図２に示されるように、制御部４に通信可能に接続され、出力される出力結果は、制御部４に送られる。
【００１８】
検知部２は、検知対象ガスを検知して、検知対象ガスに関する出力結果を出力することができればよく、その構成は特に限定されない。本実施形態では、検知部２は、検知対象ガスの種類を判定し、濃度を算出するための基礎となる出力結果を出力するように構成される。図３は、検知部２の例示的な構成を示す概略図である。検知部２は、図３に示されるように、互いに検知対象ガスに対する検知感度の異なる第１のガス検知素子２１および第２のガス検知素子２２を備えている。第１および第２のガス検知素子２１、２２は、たとえば、互いに異なる動作条件で動作する同じガス検知素子であってもよいし、互いに同じ動作条件で動作する異なるガス検知素子であってもよい。同じまたは異なるガス検知素子としては、特に限定されることはなく、接触燃焼式ガス検知素子などの公知のガス検知素子を用いることができる。ガス検知素子の数は、２つに限らず３つ以上備えるようにしてもよい。また高濃度検知用と低濃度検知用のガス検知素子をそれぞれ備えるようにしてもよい。第１および第２のガス検知素子２１、２２は、たとえば公知のホイートストンブリッジ回路に組み込まれ、検知対象ガスを検知したときに回路で測定される測定値を、検知対象ガスに関する出力結果として出力する。
【００１９】
検知部２は、吸引ポンプＰによりガス導管Ｌを介して吸引された環境雰囲気ガスに対して検知動作を行ない、第１のガス検知素子２１により得られる第１の出力結果と、第２のガス検知素子２２により得られる第２の出力結果とを出力する。出力された第１および第２の出力結果は、制御部４に送られ、制御部４において、以下で詳しく述べるように、第１の出力結果と第２の出力結果との比が検知対象ガスの混合割合を示す第１の検知結果として、また、第１の出力結果が検知対象ガスの量を示す第２の検知結果として処理される。そして、検知対象ガスの混合割合を示す第１の検知結果および検知対象ガスの量を示す第２の検知結果に基づいて検知対象ガスの種類が判定され、検知対象ガスの量を示す第２の検知結果に基づいて検知対象ガスの濃度が算出される。
【００２０】
表示部３は、検知対象ガスに関する情報が表示される。検知対象ガスに関する情報には、検知部２により出力される検知対象ガスに関する出力結果から得られる情報が含まれる。検知対象ガスに関する情報としては、たとえば、検知対象ガスの種類に関する情報や、検知対象ガスの混合割合に関する情報、検知対象ガスの種類が判定不能であるとの情報、検知対象ガスの濃度に関する情報などが例示される。検知対象ガスの種類に関する情報としては、特定の時点で出力された出力結果に基づいて判定された検知対象ガスの種類や、出力結果が得られた時間に対する検知対象ガスの種類の判定結果の変化などが例示される。また、検知対象ガスの混合割合に関する情報としては、特定の時点で判定された検知対象ガスの混合割合や、出力結果が得られた時間に対する検知対象ガスの混合割合の判定結果の変化などが例示される。また、検知対象ガスの濃度に関する情報としては、たとえば、特定の時点で測定された検知対象ガスの濃度や、出力結果が得られた時間に対する検知対象ガスの濃度の算出結果の変化、所定の測定期間内における検知対象ガスの濃度の平均値、所定の測定期間内における検知対象ガスの濃度の最大値などが例示される。表示部３は、少なくとも検知対象ガスに関する情報が表示されればよく、検知対象ガスとは関係のない情報が表示されても構わない。
【００２１】
表示部３は、図２に示されるように、制御部４に通信可能に接続され、制御部４の制御により、検知対象ガスに関する情報を含む表示が表示される。表示部３は、図１に示されるように、検知対象ガスの種類に関する情報が表示される種類表示領域３１と、検知対象ガスの混合割合に関する情報が表示される混合割合表示領域３２とを備えている。本実施形態のガス検知器１では、種類表示領域３１において検知対象ガスの種類に関する情報が表示されるとともに、混合割合表示領域３２において検知対象ガスの混合割合に関する表示が表示されることで、判定された種類の検知対象ガス以外に含まれる可能性のある検知対象ガスを使用者が認識することができる。それにより、使用者は、判定された種類の検知対象ガスの他に含まれている可能性のある検知対象ガスも考慮に入れた対処を行なうことができる。表示部３は、少なくとも種類表示領域３１および混合割合表示領域３２を備えていればよく、検知対象ガスに関する他の情報が表示される表示領域を備えていてもよいし、検知対象ガスとは関係のない情報が表示される表示領域を備えていてもよい。
【００２２】
表示部３は、ガス検知器１の電源をオンにしてから、検知対象ガスの検知が完了するまでの間において、ガス検知器１の測定状態の変化を使用者が分かるように、表示が変化してもよい。たとえば、表示部３は、ガス検知器１の電源をオンにしてから検知部２を暖機し、十分な量の環境雰囲気ガスを検知部２内に吸引するまでの所定時間（たとえば３０秒など）の間、「識別中」という文字が表示される。そして、表示部３は、ガス検知器１の識別準備が完了すると、検知対象ガスに関する情報が表示される。表示部３は、検知対象ガスに関する情報の表示開始から、検知対象ガスの検知結果が安定して、検知対象ガスの検知が完了するまでの間、検知対象ガスに関する情報の時間変化が表示されてもよい。表示部３は、検知対象ガスの検知が完了すると、最終的に得られた検知対象ガスに関する情報が表示される。ガス検知器１が検知対象ガスの種類を識別できなければ、表示部３には、検知対象ガスの種類が判定不能であるとの情報が点滅表示（たとえば検知対象ガスのすべての種類のガス種名の点滅表示）で表示される。ガス検知器１が検知対象ガスの種類を識別して、検知対象ガスの検知が正常に完了した場合、検知対象ガスの濃度に関する情報（たとえば検知対象ガスの濃度の平均値）を含む表示が点滅表示されてもよいし、判定された検知対象ガスの種類に関する表示（たとえば判定された検知対象ガスのガス種名）が点滅表示されてもよい。
【００２３】
表示部３としては、特に限定されることはなく、公知の液晶ディスプレイなどを用いることができる。表示部３に表示される表示については、以下で詳しく述べる。
【００２４】
制御部４は、検知部２により検知される情報に基づいて、検知対象ガスの種類を識別し、検知対象ガスに関する情報を表示部３に表示させる。検知部２により検知される情報には、たとえば、検知部２で出力される検知対象ガスに関する出力結果や、その出力結果に基づいて得られる検知結果などが含まれる。また、検知対象ガスに関する情報としては、たとえば、上述したように、検知対象ガスの種類に関する情報や、検知対象ガスの混合割合に関する情報、検知対象ガスの種類が判定不能であるとの情報、検知対象ガスの濃度に関する情報などが例示される。制御部４はさらに、検知部２により検知される情報に基づいて、検知対象ガスの濃度を算出するように構成される。
【００２５】
制御部４は、本実施形態では、図２に示されるように、検知部２、表示部３、記憶部５および入力部６に通信可能に接続される。制御部４は、検知部２、表示部３、記憶部５および入力部６に通信可能に接続されて、以下で説明する機能を有するように構成される。しかし、制御部４は、検知対象ガスの種類を識別し、検知対象ガスに関する情報を表示部３に表示させることができればよく、その構成は、以下の説明に限定されることはない。たとえば、以下で説明する機能の一部は、ガス検知器１とは別に設けられた計算装置によって実行されてもよい。制御部４は、たとえば公知の中央演算処理装置（ＣＰＵ）などを用いて構成することができる。
【００２６】
制御部４は、検知部２に通信可能に接続されて、検知部２により検知される情報を受け取り、その情報から検知対象ガスに関する情報を生成する。たとえば、制御部４は、検知部２で出力される第１の出力結果と第２の出力結果との比を検知対象ガスの混合割合を示す第１の検知結果として、また、検知部２で出力される第１の出力結果を検知対象ガスの量を示す第２の検知結果として処理する。そして、制御部４は、検知対象ガスの混合割合を示す第１の検知結果と、検知対象ガスの量を示す第２の検知結果とに基づいて検知対象ガスの種類を判定して、検知対象ガスの種類を識別する。また、制御部４は、検知対象ガスの量を示す第２の検知結果に基づいて検知対象ガスの濃度を算出する。制御部４はさらに、検知対象ガスに関する検知結果が所定の条件を満たさない場合に検知対象ガスの種類の判定が不能であると判定するように構成されていてもよいし、また、所定の測定期間内における検知対象ガスの濃度の平均値や最高値を算出するように構成されていてもよい。制御部４による検知対象ガスの種類の識別については、以下で詳しく述べる。
【００２７】
制御部４は、表示部３に通信可能に接続されて、検知対象ガスに関する情報を表示部３に送り、検知対象ガスに関する情報を表示部３において表示させる。たとえば、制御部４は、図１に示されるように、表示部３の種類表示領域３１に、検知対象ガスの種類に関する情報を表示させ、表示部３の混合割合表示領域３２に、検知対象ガスの混合割合に関する情報を表示させる。
【００２８】
制御部４は、記憶部５に通信可能に接続されて、検知対象ガスに関する情報を記憶部５に記憶させ、記憶部５に記憶された検知対象ガスに関する情報を読み取る。また、制御部４は、入力部６に通信可能に接続されて、入力部６からの指示を受け取り、受け取った指示に対応する動作を実行する。
【００２９】
記憶部５は、上述した検知対象ガスに関する情報を記憶する。また、記憶部５は、本明細書に記載される制御部４の機能を実行可能なプログラムを記憶するように構成されていてもよい。記憶部５は、特に限定されることはなく、ＲＡＭなどの公知の揮発性メモリや、ハードディスク、フラッシュメモリなどの公知の不揮発性メモリにより構成することができる。なお、検知対象ガスに関する情報やプログラムなどは、ガス検知器１とは別に設けられた記憶装置に記憶されてもよい。
【００３０】
入力部６は、制御部４に対する指示が入力される。入力部６は、制御部４に通信可能に接続され、入力された指示が制御部４に送られるように構成される。入力部６は、本実施形態では、図１に示されるように、ボタンにより構成されている。しかし、入力部６は、ボタン以外にも、キーボードやマウスなど公知の入力手段により構成することができる。なお、制御部４に対する指示は、たとえば携帯通信機器など、ガス検知器１以外の機器から送られてもよい。
【００３１】
つぎに、図４〜図６を参照して、環境雰囲気に検知対象ガスとして都市ガス（１３Ａ）、メタンガス、ＬＰＧが含まれ得る場合を例に挙げて、本実施形態のガス検知器１における検知対象ガスの識別と検知対象ガスに関する情報の表示について詳しく説明する。ただし、本発明のガス検知器は、以下の検知対象ガスの識別方法に限定されることはなく、検知対象ガスを識別可能な他の公知の識別方法を採用することができる。また、本発明のガス検知器が対象とする検知対象ガスは、都市ガス（１３Ａ）、メタンガス、ＬＰＧに限定されることはなく、公知の識別方法により識別可能な検知対象ガスを検知対象とすることができる。
【００３２】
図４は、検知対象ガスが都市ガス（１３Ａ）、メタンガス、ＬＰＧのそれぞれである場合の、第１および第２のガス検知素子２１、２２が出力する例示的な出力結果を示している。第１のガス検知素子２１は、図４（ａ）に示されるように、都市ガス（１３Ａ）およびメタンガスに対して、ガス濃度の増加に伴って指示値が同じ傾きで増加する感度特性を有するように構成されている。このとき、第１のガス検知素子２１は、ＬＰＧに対しては、（図示されていないが）都市ガス（１３Ａ）およびメタンガスに対する検知感度よりも低い検知感度を有するように構成される。ただし、第１の検知素子２１のＬＰＧに対する検知感度は、都市ガス（１３Ａ）およびメタンガスに対する検知感度と同じか、それよりも高くてもよい。それに対して、第２のガス検知素子２２は、図４（ｂ）に示されるように、それぞれの検知対象ガスに対して、ガス濃度の増加に伴って指示値が異なる傾きで増加する感度特性を有するように構成されている。図示された例では、メタンガスの検知感度が最も低く、ＬＰＧの検知感度が最も高い。第１のガス検知素子２１の第１の出力結果と、第２のガス検知素子２２の第２の出力結果との比（第１の検知結果）は、検知対象ガスのガス濃度によらず、検知対象ガスの種類に応じて変化する値であり、検知対象ガスの混合割合を示している。ここでいう検知対象ガスの混合割合とは、複数の検知対象ガスの混合比のことを意味している。また、第１のガス検知素子２１の第１の出力結果（第２の検知結果）は、検知対象ガスの濃度に応じて変化する値であり、検知対象ガスの量を示している。ここでいう検知対象ガスの量とは、環境雰囲気内での検知対象ガスの含有量を意味している。なお、第１および第２の検知結果はそれぞれ、検知対象ガスの混合割合および検知対象ガスの量を示すものであれば、本実施形態に限定されることはなく、他の公知のガス検知素子から得ることもできる。
【００３３】
本実施形態のガス検知器１では、検知対象ガスを識別するために、制御部４が、検知対象ガスの混合割合を示す第１の検知結果と、検知対象ガスの量を示す第２の検知結果とに基づいて、検知対象ガスの種類を判定する。制御部４は、本実施形態では、第２の検知結果に基づいて検知対象ガスの種類が判定可能であるか否かを判定し、検知対象ガスの種類が判定可能である場合に、第１の検知結果に基づいて検知対象ガスの種類を判定する。制御部４は、検知対象ガスの種類の判定が可能である場合に、検知対象ガスの種類に関する情報を表示部３の種類表示領域３１（図６参照）に表示させるように構成され得る。また、制御部４は、検知対象ガスの種類の判定が不能である場合に、表示部３の種類表示領域３１において、検知対象ガスの種類に関する情報を表示せず、判定が不能である旨の表示を表示させるように構成され得る。なお、制御部４は、第２の検知結果に基づいて、所定の検量線を用いるなどして、検知対象ガスの濃度を算出するように構成されてもよい。
【００３４】
検知対象ガスの種類が判定可能であるか否かの判定では、制御部４は、第２の検知結果が所定の条件を満たすか否かにより、検知対象ガスの種類が判定可能であるか否かを判定する。所定の条件は、検知対象ガスの種類の信頼し得る判定結果が得られる程度に、検知対象ガスの種類の判定が実施可能である範囲で適宜決定することができる。たとえば、所定の条件は、第２の検知結果から算出される検知対象ガスの濃度が１％ＬＥＬ（爆発下限界）以上など、所定の濃度以上に対応する第２の検知結果の数値以上の範囲とすることができる。
【００３５】
検知対象ガスの種類の判定では、制御部４は、第１の検知結果と、検知対象ガスの種類に応じて予め決められた所定の閾値範囲とを比較することにより、検知対象ガスの種類を判定する。図５は、第１のガス検知素子の第１の出力結果を横軸とし、第２のガス検知素子の第２の出力結果を縦軸としたグラフ内において、検知対象ガスの種類に応じて予め決められた所定の閾値範囲Ｔ１、Ｔ２、Ｔ３、Ｔ４を示している。閾値範囲Ｔ１、Ｔ２、Ｔ３、Ｔ４は、第１の検知結果（第１のガス検知素子２１の第１の出力結果と第２のガス検知素子２２の第２の出力結果との比）の所定範囲であり、それぞれ単独の検知対象ガスについて得られた第１の検知結果に基づいて適宜決定することができる。本実施形態では、都市ガス（１３Ａ）、メタンガスおよびＬＰＧのそれぞれの第１の検知結果がそれぞれの閾値範囲に含まれるように、閾値範囲Ｔ１、Ｔ２、Ｔ３、Ｔ４のそれぞれが決定される。図示された例では、閾値範囲Ｔ１は、メタンガス（ガス種「Ａ」）に対応し、閾値範囲Ｔ２は、都市ガス（１３Ａ）（ガス種「Ｂ」）に対応し、閾値範囲Ｔ３は、都市ガス（１３Ａ）、ＬＰＧおよびその他のガスを含み得るガス（ガス種「Ｃ」）に対応し、閾値範囲Ｔ４は、ＬＰＧおよびその他のガスを含み得るガス（ガス種「Ｄ」）に対応するように決定される。制御部４は、未知の検知対象ガスが含まれる環境雰囲気ガスから得られた第１の検知結果が、上述した閾値範囲のいずれに含まれるかを判定することで、検知対象ガスの種類を判定する。
【００３６】
本実施形態のガス検知器１ではさらに、制御部４が、第１の検知結果に基づき検知対象ガスの混合割合を判定する。第１の検知結果は、上述したように、検知対象ガスの種類に応じて変化する値であり、検知対象ガスの混合割合に応じて変化する値である。制御部４は、第１の検知結果と、検知対象ガスの混合割合に応じて予め決められた所定の閾値範囲とを比較することにより、検知対象ガスの混合割合を判定する。検知対象ガスの混合割合に応じて予め決められる所定の閾値範囲は、第１の検知結果の所定範囲であり、それぞれ単独の検知対象ガスについて得られた第１の検知結果に基づいて、検知対象ガスの種類に応じて予め決められた所定の閾値範囲Ｔ１、Ｔ２、Ｔ３、Ｔ４よりも細分化された範囲で適宜決定することができる。細分化される閾値範囲は、特に限定されることはなく、混合割合の要求される識別範囲に応じて適宜決定することができる。細分化される閾値範囲は、たとえば、検知対象ガスの種類に応じて予め決められた所定の閾値範囲Ｔ１、Ｔ２、Ｔ３、Ｔ４のそれぞれの１／３、１／５、１／７・・・などの範囲とすることができる。制御部４は、検知対象ガスの種類の判定が可能である場合だけでなく、検知対象ガスの種類の判定が不能である場合にも、表示部３の混合割合表示領域３２（図６参照）に検知対象ガスの混合割合に関する情報を表示させるように構成され得る。
【００３７】
図６は、本実施形態のガス検知器１の表示部３に表示される例示的な表示を示す図である。図６において、丸印、三角印、四角印、菱形印はそれぞれ、異なる色を示しており、それぞれの表示領域内における破線は、消灯した状態を示している。また、「Ａ」、「Ｂ」、「Ｃ」および「Ｄ」はそれぞれ、検知対象ガスのガス種名を表している。表示部３は、図６に示されるように、検知対象ガスの種類に関する情報が表示される種類表示領域３１と、検知対象ガスの混合割合に関する情報が表示される混合割合表示領域３２とを備えている。本実施形態のガス検知器１では、種類表示領域３１において検知対象ガスの種類に関する情報が表示されるとともに、混合割合表示領域３２において検知対象ガスの混合割合に関する情報が表示されることで、検知対象ガスの種類の判定結果だけでなく、判定された種類の検知対象ガス以外に含まれる可能性のある検知対象ガスを使用者が認識することができる。それにより、使用者は、判定された種類の検知対象ガスの他に含まれている可能性のある検知対象ガスも考慮に入れた対処を行なうことができる。
【００３８】
表示部３の種類表示領域３１は、検知対象ガスの種類に関する情報が表示される。種類表示領域３１は、検知対象ガスの種類に関する情報が表示されればよく、その構成や表示方法は特に限定されない。種類表示領域３１は、本実施形態では、図６に示されるように、検知対象ガスのガス種名を表示するガス種名表示領域３１ａと、検知対象ガスの濃度の時間変化を表示する時間変化表示領域３１ｂとを備えている。本実施形態では、種類表示領域３１に表示される検知対象ガスの種類に関する情報が、ガス種名表示領域３１ａにおいて、検知対象ガスのガス種名として表示され、および／または、時間変化表示領域３１ｂにおいて、検知対象ガスの算出された濃度の変化を示すグラフとして表示される。
【００３９】
種類表示領域３１のガス種名表示領域３１ａは、図６に示されるように、検知対象ガスのガス種名が表示されるように構成されている。本実施形態では、ガス種名表示領域３１ａにおいて、検知対象ガスの種類毎に異なる位置でガス種名が表示される。図示された例では、検知対象ガスがガス種「Ｂ」であると判定され、「Ｂ」の表示だけが点灯し、他の「Ａ」、「Ｃ」、「Ｄ」の表示は消灯している。これにより、使用者は、検知対象ガスの種類の判定結果を容易に認識できる。また、ガス種名表示領域３１ａでは、検知対象ガスの種類の判定が不能である場合に、特定の検知対象ガスのガス種名が表示されず、検知対象ガスの全てのガス種の表示が点滅表示されるなどして、判定が不能である旨の表示が表示されてもよい。これにより、使用者は、検知対象ガスの判定が不能であることを容易に認識することができ、たとえば、ガス検知器１が、検知対象ガスを識別できる程度に環境雰囲気ガスが導入されていない準備段階であることや、環境雰囲気には検知対象ガスが実際にほとんど含まれないことを認識することができる。
【００４０】
種類表示領域３１の時間変化表示領域３１ｂは、図６に示されるように、検知結果が得られた時間に対する検知対象ガスの算出された濃度の変化が表示されるように構成されている。これにより、使用者は、検知対象ガスの濃度の時間変化を認識することができ、たとえば、測定の初期において測定結果が安定したか否かを判断することができ、また、環境雰囲気において検知対象ガスの濃度が実際に変化していることを認識することができる。図示された例では、測定時間の初期において、検知対象ガスの濃度が低く、表示されていない（図６中、破線部分）。これは、ガス検知器１内にはまだ環境雰囲気ガスが十分な量だけ取り込まれておらず、ガス検知器１がまだ準備段階であることを示している。
【００４１】
表示部３の種類表示領域３１ではさらに、図６に示されるように、検知対象ガスの種類に関する情報が、検知対象ガスの種類に応じて予め決められた所定の色で表示される。所定の色は、特に限定されることはなく、使用者が検知対象ガスの種類の違いを識別可能な範囲で適宜決定することができる。図示された例では、種類表示領域３１のガス種名表示領域３１ａにおいて、ガス種「Ａ」は、丸印で示される色（たとえば赤色など）、ガス種「Ｂ」は、三角印で示される色（たとえば橙色など）、ガス種「Ｃ」は、四角印で示される色（たとえば緑など）、ガス種「Ｄ」は、菱形印で示される色（たとえば青など）で表示される。このように、検知対象ガスの種類に関する情報が、検知対象ガスの種類に応じて予め決められた所定の色で表示されることで、使用者は、検知対象ガスの種類を容易に認識することができる。また、種類表示領域３１の時間変化表示領域３１ｂにおいては、グラフ内のそれぞれの時間に対応する領域が、同じ時間において検知された検知結果を用いて判定された検知対象ガスの種類に対応して、検知対象ガスの種類に応じて予め決められた所定の色で表示される。これにより、使用者は、検知対象ガスの種類の判定が時間とともにどのように変化しているかを認識することができる。図示された例では、測定の途中においては、検知対象ガスがガス種「Ａ」であると判定されたが、測定の最終段階においては、検知対象ガスがガス種「Ｂ」であると判定されている。測定途中において、ガス種「Ａ」からガス種「Ｂ」に判定が変化していることから、最終的に検知対象ガスがガス種「Ｂ」と判定されても、ガス種「Ａ」が多少含まれている可能性があると類推することができる。このように、ガス検知器１に十分な量の環境雰囲気ガスが供給されて安定した判定結果が得られるまでの判定結果の推移を見ることで、最終的に判定された種類の検知対象ガス以外にも、他の検知対象ガスが含まれる可能性があることを認識することができる。これにより、使用者は、最終的な判定結果にとらわれることなく、他に含まれる可能性のある検知対象ガスを考慮に入れた対処を行なうことができる。
【００４２】
表示部３の混合割合表示領域３２は、検知対象ガスの混合割合に関する情報が表示される。混合割合表示領域３２は、検知対象ガスの混合割合に関する情報が表示されればよく、その表示方法は特に限定されない。混合割合表示領域３２は、本実施形態では、図６に示されるように、検知対象ガスの判定された混合割合に関する情報が、検知対象ガスの混合割合に応じて予め決められた所定の色で表示される。所定の色は、特に限定されることはなく、使用者が検知対象ガスの混合割合の違いを識別可能な範囲で適宜決定することができる。たとえば、検知対象ガスの混合割合に応じて予め決められる所定の色は、検知対象ガスの種類に応じて予め決められた所定の色を基礎として、混合している可能性のある複数の検知対象ガスのそれぞれに対して決められた所定の色の間で、検知対象ガスの混合割合に応じて段階的に変化するように決定することができる。例えば、種類表示領域３１のガス種名表示領域３１ａにおける各色の間を細分化したグラデーション表示とすることができる。このように複数の種類の検知対象ガスの間で、検知対象ガスの混合割合に応じて色が段階的に変化することで、使用者は、検知対象ガスの混合割合を直感的に把握することができる。図示された例では、ガス種「Ａ」とガス種「Ｂ」とがほぼ同じ程度の量で環境雰囲気ガスに含まれている結果を示しており、その判定結果が、ガス種「Ａ」に対して決められた色（丸印で示される色）と、ガス種「Ｂ」に対して決められた色（三角印で示される色）とのほぼ中間の色で表示されている。使用者は、検知対象ガスの判定された混合割合に関する情報が、検知対象ガスの混合割合に応じて予め決められた所定の色で表示されることにより、最終的に判定された種類の検知対象ガス以外にも、他の検知対象ガスが含まれる可能性があることを容易に認識することができる。
【００４３】
表示部３の混合割合表示領域３２では、検知対象ガスの種類の判定が不能である場合であっても、検知対象ガスの混合割合に関する情報が表示されてもよい。これにより、使用者は、ガス検知器１による測定の初期など、検知対象ガスの種類の判定が不能である段階でも、どの種類の検知対象ガスが環境雰囲気ガスに含まれているかを大まかに把握することができ、また、表示が変化する様子を見ることで、測定が安定してきたか否かを確認することができる。
【符号の説明】
【００４４】
１  ガス種識別機能付きガス検知器（ガス検知器）
２  検知部
２１  第１のガス検知素子
２２  第２のガス検知素子
３  表示部
３１  種類表示領域
３１ａ  ガス種名表示領域
３１ｂ  時間変化表示領域
３２  混合割合表示領域
４  制御部
５  記憶部
６  入力部
Ｌ  ガス導管
Ｐ  吸引ポンプ
Ｓ  電源スイッチ
Ｔ１  ガス種「Ａ」に対応する閾値範囲
Ｔ２  ガス種「Ｂ」に対応する閾値範囲
Ｔ３  ガス種「Ｃ」に対応する閾値範囲
Ｔ４  ガス種「Ｄ」に対応する閾値範囲
【図１】
2020165891.tif 000003
【図２】
2020165891.tif 000004
【図３】
2020165891.tif 000005
【図４】
2020165891.tif 000006
【図５】
2020165891.tif 000007
【図６】
2020165891.tif 000008